(57)【要約】【課題】雨天時に屋内に入るとき、濡れた傘を傘ケースに入れて床や衣服を濡らさないように、また、底部からは溜まった雨水が排出でき、使い捨ての傘袋のかわりに常に傘の柄に付けて持ち運びができる、小さなエコにつながる傘ケースを提供する。【解決手段】傘ケースの底部に雨水排出口を設け、底部から順にマジックテープ−（＋）、マジックテープ−（＋）、マジックテープ＋（−）を同様に下から縫い付ける。傘ケースの上部にもマジックテープ＋（−）と、傘ケースの口を閉じることができるように、先端にマジックテープ−（＋）の付いたベルトを縫い付ける。ベルトの上部には、持ち手の紐、持ち手の紐の上部には、傘の柄に取り付けるためのゴムひもを輪にして縫い付ける。【選択図】図１
0003139807.tif 000002
【実用新案登録請求の範囲】
【請求項１】
傘ケースをポケットサイズに折りたたみ、ゴムひもを使い雨傘の柄に通して持ち運びができ、底部にはマジックテープで開閉できる雨水排出口を設け、上部の開口部は雨傘収納時にベルトを巻きつけ、マジックテープで閉じることができる傘ケース。
【考案の詳細な説明】
【技術分野】
【０００１】  この発明は、折りたたんで傘の柄に付け、簡単に持ち運びができ、室内や衣服を雨水で濡らさぬよう丈の調整が可能で、袋内に溜まった雨水を排出できる、濡れた傘を収納するための傘ケースに関するものである。
【背景技術】
【０００２】  従来、雨天時に傘を使用し屋内に入った場合、閉じた雨傘から水滴が落ちたり、衣服に触れて濡らしたり汚れたりする問題が生じる。
厚手のビニール製の車内用傘袋等は、コンパクトに折りたためないため、傘の柄に通して持ち運びができず、水抜きも簡単にできないものが多い。又、ビニール製やナイロン製のものは、水分を吸収してしまうものが多く、水滴を掃ってもとれにくいため、乾かすのに時間がかかり、持ち運びがしづらい。本発明は、以上のような欠点をなくすためになされたものである。
【発明開示】
【発明が解決しようとする課題】
【０００３】  これは、次のような欠点があった。
（イ）傘ケースを小さく折りたたみ、雨傘の柄に通して簡単に持ち運びができないため      、出かける際に忘れることが多い。
（ロ）雨天時に繰り返し使うことにより、水滴や汚れが付着し、とれにくく乾きにくい      ため、移動するたびに傘袋を別の袋に収納しなければならない。
（ハ）傘袋内に溜まった水を排出する際に片手ではできないものが多い。
（ニ）デパートやスーパーに用意されている、使い捨ての傘袋は資源の無駄である。
本発明は以上のような欠点をなくすためになされたものである。
【課題を解決するための手段】
【０００４】  傘ケースの底部に雨水排出口を設け、底部から順にマジックテープ−（＋）、マジックテープ−（＋）、マジックテープ＋（−）を同様に下から縫い付ける。傘ケースの上部にもマジックテープ＋（−）を縫い付け、傘ケースの口を閉じることができるように、先端にマジックテープ−（＋）の付いたベルトも縫い付ける。ベルトの上部には、持ち手の紐、持ち手の紐の上部には、傘の柄に取り付けるためのゴムひもを縫い付ける。
本発明は、以上の構成よりなる傘ケースである。
【発明の効果】
【０００５】  傘ケース上部のゴムひもの輪を、傘の柄に通して傘と一緒に持ち運びができる。そのため、常に自分の傘ケースを使用できるので、スーパーやデパート等の入口にある使い捨てビニール袋を使わずに済み、小さなエコにつながる。
コンパクトに折りたためて、傘の柄に通すため、雨傘を広げて使用する際にも邪魔にならない。
雨傘の丈に合わせて、長さを調整でき、雨水排出口はマジックテープで開閉できるので、片手でも簡単に底に溜まった雨水を排出できる。
防水性が高い素材のため、底に雨水が溜まっても耐えることができ、表面は手で掃えば水滴がとれるため、繰り返し使用できる。
傘ケースに傘を入れて、上部のベルト部分を巻きつけマジックテープでとめれば、倒れても傘が傘ケースからとび出すことはない。
【考案を実施するための最良の形態】
【０００６】  以下、本発明を実施するための最良の形態について説明する。
図１に示すように、傘ケース本体（１）の底部に２ｃｍ幅の雨水排出口（２）を設け、底部から順に一辺が２．５ｃｍの正方形のマジックテープ−（＋）（３）、マジックテープ−（＋）（３）、マジックテープ＋（−）（４）を同様に下から縫い付ける。
傘ケース本体（１）の片側の上部にもマジックテープ＋（−）（４）、３．５ｃｍ幅で長さ１５ｃｍの傘の口を閉じるためのベルト（５）を縫い付け、ベルト（５）の先端にもマジックテープ−（＋）（３）を縫い付ける。ベルトの上部には１ｃｍ幅で長さ３３ｃｍの輪の持ち手（６）、持ち手（６）の上部には雨傘の柄に通すための長さ８ｃｍのゴムひも（７）、を輪にして縫い付ける。
本発明は、以上のような構造である。
これを使用するときは、傘の柄に傘ケースのゴムひもの輪を通して持ち運び、屋内に入るときは傘をとじて傘ケースに収納し、ベルトで口を閉める。
再び外に出るときは、底部のマジックテープを外して、溜まった雨水を排出し、ケースに付いた水滴を掃って小さく折りたたみ、マジックテープで固定して、傘の柄に通し持ち運ぶ。
【図面の簡単な説明】
【０００７】
【図１】    本発明の正面図である。
【図２】    本発明の背面図である。
【図３】    本発明の折りたたみ時の斜視図である。
【図４】    傘を収納時の正面図である。
【符号の説明】
【０００８】１  傘ケース本体
２  雨水排出口
３  マジックテープ−（＋）
４  マジックテープ＋（−）
５  ベルト
６  輪の持ち手
７  輪のゴムひも
【図１】
0003139807.tif 000003
【図２】
0003139807.tif 000004
【図３】
0003139807.tif 000005
【図４】
0003139807.tif 000006
【手続補正書】
【提出日】平成19年11月16日(2007.11.16)
【手続補正１】
【補正対象書類名】実用新案登録請求の範囲
【補正対象項目名】全文
【補正方法】変更
【補正の内容】
【実用新案登録請求の範囲】
【請求項１】
傘ケース本体の底部に雨水排出口、雨水排出口の上部に面ファスナーを三か所設け、傘ケース本体の片側の上部に、先端に面ファスナーが付いた、傘ケースの口を閉じるためのベルト、ベルトの上部には持ち手、持ち手の上部には輪の携帯用ゴムひもを設けた傘ケース。
【手続補正２】
【補正対象書類名】明細書
【補正対象項目名】０００４
【補正方法】変更
【補正の内容】
【０００４】  傘ケースの底部に雨水排出口を設け、底部から順に面ファスナー−（＋）、面ファスナー−（＋）、面ファスナー＋（−）を同様に下から縫い付ける。傘ケースの上部にも面ファスナー＋（−）を縫い付け、傘ケースの口を閉じることができるように、先端に面ファスナー−（＋）の付いたベルトも縫い付ける。ベルトの上部には、持ち手の紐、持ち手の紐の上部には、傘の柄に取り付けるためのゴムひもを縫い付ける。
本発明は、以上の構成よりなる傘ケースである。
【手続補正３】
【補正対象書類名】明細書
【補正対象項目名】０００５
【補正方法】変更
【補正の内容】
【０００５】  傘ケース上部のゴムひもの輪を、傘の柄に通して傘と一緒に持ち運びができる。そのため、常に自分の傘ケースを使用できるので、スーパーやデパート等の入口にある使い捨てビニール袋を使わずに済み、小さなエコにつながる。
コンパクトに折りたためて、傘の柄に通すため、雨傘を広げて使用する際にも邪魔にならない。
雨傘の丈に合わせて、長さを調整でき、雨水排出口は面ファスナーで開閉できるので、片手でも簡単に底に溜まった雨水を排出できる。
防水性が高い素材のため、底に雨水が溜まっても耐えることができ、表面は手で掃えば水滴がとれるため、繰り返し使用できる。
傘ケースに傘を入れて、上部のベルト部分を巻きつけ面ファスナーでとめれば、倒れても傘が傘ケースからとび出すことはない。
【手続補正４】
【補正対象書類名】明細書
【補正対象項目名】０００６
【補正方法】変更
【補正の内容】
【０００６】  以下、本発明を実施するための最良の形態について説明する。
図１に示すように、傘ケース本体（１）の底部に２ｃｍ幅の雨水排出口（２）を設け、底部から順に一辺が２．５ｃｍの正方形の面ファスナー−（＋）（３）、面ファスナー−（＋）（３）、面ファスナー＋（−）（４）を同様に下から縫い付ける。
傘ケース本体（１）の片側の上部にも面ファスナー＋（−）（４）、３．５ｃｍ幅で長さ１５ｃｍの傘ケースの口を閉じるためのベルト（５）を縫い付け、ベルト（５）の先端にも面ファスナー−（＋）（３）を縫い付ける。ベルトの上部には１ｃｍ幅で長さ３３ｃｍの輪の持ち手（６）、持ち手（６）の上部には雨傘の柄に通すための長さ８ｃｍのゴムひも（７）、を輪にして縫い付ける。
本発明は、以上のような構造である。
これを使用するときは、傘の柄に傘ケースのゴムひもの輪を通して持ち運び、屋内に入るときは傘をとじて傘ケースに収納し、ベルトで口を閉める。
再び外に出るときは、底部の面ファスナーを外して、溜まった雨水を排出し、ケースに付いた水滴を掃って小さく折りたたみ、面ファスナーで固定して、傘の柄に通し持ち運ぶ。
【手続補正５】
【補正対象書類名】明細書
【補正対象項目名】０００８
【補正方法】変更
【補正の内容】
【０００８】１  傘ケース本体
２  雨水排出口
３  面ファスナー−（＋）
４  面ファスナー＋（−）
５  ベルト
６  輪の持ち手
７  輪のゴムひも